(57)【要約】【課題】テープ状等を成す情報記録媒体に記録された映像及び音声等の情報を再生する装置であって、情報記録媒体の違法な複製品に関わる問題等の解決に供される情報再生システムを構築することができるものとする。【解決手段】磁気テープ(11)から情報を再生する情報再生手段(12)と、磁気テープを内蔵したカセット(16)に固着されたメモリ（２０）からデータ情報を読み出すデータ情報読出し手段(21)と、個別キーデータ情報が格納される情報保存メモリ手段(25)と、情報再生手段による磁気テープからの主情報の再生に制限を課す状態を選択的に設定するコントローラ(30)とを備え、コントローラが、カセット(16)に固着されたメモリ(20)から読み出された認識用データ情報の内容と情報保存メモリ手段に格納された個別キーデータ情報の内容とが一致するとき、情報再生手段に磁気テープからの主情報の再生を行わせる。【選択図】図１
2006164353.tif 000002
【特許請求の範囲】
【請求項１】
情報記録媒体の記録領域からの情報再生を行うことができる情報再生手段と、
情報記録媒体もしくは該情報記録媒体を内蔵したケースに固着されたメモリ手段からのデータ情報の読出しを行うことができるデータ情報読出し手段と、
固有の個別キーデータ情報が格納される情報保存メモリ手段と、
上記情報再生手段による情報記録媒体の記録領域からの主情報の再生に制限を課す情報再生制限状態を選択的に設定する動作制御手段と、
を備えて成り、
上記動作制御手段が、情報再生用とされた情報記録媒体が装着されるとともに上記情報再生制限状態が設定されたもとで、上記データ情報読出し手段から得られる、上記装着された情報記録媒体もしくは該情報記録媒体を内蔵したケースに固着されたメモリ手段から読み出された認識用キーデータ情報の内容と、上記情報保存メモリ手段に格納された個別キーデータ情報の内容とを比較し、両内容が一致するとき、上記情報再生手段が上記装着された情報記録媒体の記録領域からの主情報の再生を行い得る状態となすものとされる情報再生装置。
【請求項２】
上記情報保存メモリ手段に上記固有の個別キーデータ情報に加えてマスターキーデータ情報も格納され、上記動作制御手段が、情報記録媒体が装着されるとともに上記情報再生制限状態が設定されたもとで、上記データ情報読出し手段から上記装着された情報記録媒体もしくは該情報記録媒体を内蔵したケースに固着されたメモリ手段からのデータ情報が得られないときには、上記情報再生手段から得られる、上記装着された情報記録媒体の記録領域から再生されたマスターキーデータ情報の内容と、上記情報保存メモリ手段に格納されたマスターキーデータ情報の内容とが一致するとき、上記情報再生手段が上記装着された情報記録媒体の記録領域からの主情報の再生を行い得る状態となすことを特徴とする請求項１記載の情報再生装置。
【請求項３】
上記情報保存メモリ手段に上記固有の個別キーデータ情報に加えてマスターキーデータ情報も格納され、上記動作制御手段が、情報記録媒体が装着されるとともに上記情報再生制限状態が設定されたもとで、上記データ情報読出し手段から得られる、上記装着された情報記録媒体もしくは該情報記録媒体を内蔵したケースに固着されたメモリ手段から読み出された固有識別データ情報の内容と、上記情報再生手段から得られる、上記装着された情報記録媒体の記録領域から再生された固有識別データ情報の内容とを比較し、両内容が一致しないときには、上記情報再生手段から得られる、上記装着された情報記録媒体の記録領域から再生されたマスターキーデータ情報の内容と、上記情報保存メモリ手段に格納されたマスターキーデータ情報の内容とが一致するとき、上記情報再生手段が上記装着された情報記録媒体の記録領域からの主情報の再生を行い得る状態となすことを特徴とする請求項１記載の情報再生装置。
【請求項４】
上記動作制御手段が、上記情報保存メモリ手段に上記個別キーデータ情報及びマスターキーデータ情報を格納する動作状態をとることを特徴とする請求項２または３記載の情報再生装置。
【請求項５】
上記データ情報読出し手段が、上記装着された情報記録媒体もしくは該情報記録媒体を内蔵したケースに固着されたメモリ手段からのデータ情報の読出しを、上記装着された情報記録媒体もしくは該情報記録媒体を内蔵したケースに対する非接触状態をもって行うことを特徴とする請求項１記載の情報再生装置。
【請求項６】
情報記録媒体の記録領域への情報記録及び情報記録媒体の記録領域からの情報再生を行うことができる記録再生手段と、
情報記録媒体もしくは該情報記録媒体を内蔵したケースに固着されたメモリ手段へのデータ情報の書込み及び該メモリ手段からのデータ情報の読出しを行うことができる書込み読出し手段と、
固有の個別キーデータ情報が格納される情報保存メモリ手段と、
上記書込み読出し手段に、情報記録媒体もしくは該情報記録媒体を内蔵したケースに固着されたメモリ手段からの固有識別データ情報の読出しを行わせるとともに、上記記録再生手段に、上記書込み読出し手段により読み出された上記固有識別データ情報の上記情報記録媒体の記録領域への記録を行わせる動作状態，上記書込み読出し手段に、上記情報保存メモリ手段に格納された個別キーデータ情報と同じ内容を有した認識用キーデータ情報の情報記録媒体もしくは該情報記録媒体を内蔵したケースに固着されたメモリ手段への書込みを行わせる動作状態、及び、上記記録再生手段による情報記録媒体の記録領域からの主情報の再生に制限を課す情報再生制限状態を設定する動作制御手段と、
を備えて成り、
上記動作制御手段が、情報再生用とされた情報記録媒体が装着されるとともに上記情報再生制限状態が設定されたもとで、上記書込み読出し手段から得られる、上記装着された情報記録媒体もしくは該情報記録媒体を内蔵したケースに固着されたメモリ手段から読み出された認識用キーデータ情報の内容と、上記情報保存メモリ手段に格納された個別キーデータ情報の内容とを比較し、両内容が一致するとき、上記記録再生手段が上記装着された情報記録媒体の記録領域からの主情報の再生を行い得る状態となすものとされる情報記録再生装置。
【請求項７】
上記情報保存メモリ手段に上記固有の個別キーデータ情報に加えてマスターキーデータ情報も格納され、上記動作制御手段が、上記記録再生手段に上記情報保存メモリ手段に格納されたマスターキーデータ情報の情報記録媒体の記録領域への記録を行わせる動作状態をも設定するものとされ、情報記録媒体が装着されるとともに上記情報再生制限状態が設定されたもとで、上記書込み読出し手段から上記装着された情報記録媒体もしくは該情報記録媒体を内蔵したケースに固着されたメモリ手段からのデータ情報が得られないときには、上記記録再生手段から得られる、上記装着された情報記録媒体の記録領域から再生されたマスターキーデータ情報の内容と、上記情報保存メモリ手段に格納されたマスターキーデータ情報の内容とが一致するとき、上記記録再生手段が上記装着された情報記録媒体の記録領域からの主情報の再生を行い得る状態となすことを特徴とする請求項６記載の情報記録再生装置。
【請求項８】
上記情報保存メモリ手段に上記固有の個別キーデータ情報に加えてマスターキーデータ情報も格納され、上記動作制御手段が、上記記録再生手段に上記情報保存メモリ手段に格納されたマスターキーデータ情報の情報記録媒体の記録領域への記録を行わせる動作状態をも設定するものとされ、情報記録媒体が装着されるとともに上記情報再生制限状態が設定されたもとで、上記書込み読出し手段から得られる、上記装着された情報記録媒体もしくは該情報記録媒体を内蔵したケースに固着されたメモリ手段から読み出された固有識別データ情報の内容と、上記記録再生手段から得られる、上記装着された情報記録媒体の記録領域から再生された固有識別データ情報の内容とを比較し、両内容が一致しないときには、上記記録再生手段から得られる、上記装着された情報記録媒体の記録領域から再生されたマスターキーデータ情報の内容と、上記情報保存メモリ手段に格納されたマスターキーデータ情報の内容とが一致するとき、上記記録再生手段が上記装着された情報記録媒体の記録領域からの主情報の再生を行い得る状態となすことを特徴とする請求項６記載の情報記録再生装置。
【請求項９】
上記動作制御手段が、上記情報保存メモリ手段に上記個別キーデータ情報及びマスターキーデータ情報を格納する動作状態をとることを特徴とする請求項７または８記載の情報記録再生装置。
【請求項１０】
上記書込読出し手段が、上記装着された情報記録媒体もしくは該情報記録媒体を内蔵したケースに固着されたメモリ手段へのデータ情報の書込み及び該メモリ手段からのデータ情報の読出しを、上記装着された情報記録媒体もしくは該情報記録媒体を内蔵したケースに対する非接触状態をもって行うことを特徴とする請求項６記載の情報記録再生装置。
【発明の詳細な説明】
【技術分野】
【０００１】
本願の特許請求の範囲に記載された発明は、テープ状やディスク状等を成すものとされる情報記録媒体に記録された映像及び音声等の情報を再生する情報再生装置、もしくは、テープ状やディスク状等を成すものとされる情報記録媒体に各種の情報を記録するとともに、テープ状やディスク状等を成すものとされる情報記録媒体に記録された各種の情報を再生する情報記録再生装置に関する。
【背景技術】
【０００２】
映画，音楽情報，放送番組等々の制作分野にあっては、コンピュータ・グラフィックス，データ圧縮・伸長，合成等々の種々のディジタル情報処理技術が駆使されるようになってきており、出来上がった作品は、例えば、磁気テープや光磁気ディスク等のテープ状やディスク状等を成すものとされる情報記録媒体に記録されて保管される。そして、今や、様々な映画，音楽，放送番組等の情報がディジタルコンテンツとして格納された情報記録媒体（以下、ディジタル情報記録媒体という。）が、市場に大量に出回っている。
【０００３】
このようなディジタル情報記録媒体は、一旦オリジナル品が制作されると、それを元にして複製品を容易かつ比較的安価に作製することができ、また、その複製品を元にして多数の更なる複製品を容易に作製することができるとともに、そのオリジナル品あるいは複製品からの情報再生を、同様な機能を具えた多数の情報再生装置あるいは情報記録再装置の夫々によって、比較的高品質をもって行うことができるという、使用上の大なるメリットが得られるものとなっている。こうしたメリットが、各種のディジタル情報記録媒体の広範に亙る普及の一因となっていると考えられる。
【０００４】
ところが、上述のようなディジタル情報記録媒体に具わる使用上のメリットは、反面、その正当な制作者，取扱許諾者等に深刻な打撃を与える不都合を生じることにもなる。例えば、新たに制作された映画あるいは音楽情報が格納されたオリジナル品が完成された直後であって、未だ、その正当な制作者，取扱許諾者等による複製品の製造さらには販売が開始されていない段階で、オリジナル品の複製品が市場に違法に流出してしまい、それによって正当な制作者，取扱許諾者等が著しい損害を蒙るという事態が生じることがあるが、これは、まさに、ディジタル情報記録媒体に具わる使用上のメリットに起因しているのである。
【０００５】
即ち、完成されたオリジナル品を、何者かが密かに持ち出し、予め用意した情報記録再生装置を用いて、オリジナル品からの情報再生と再生された情報の他の情報記録媒体への記録とを行って違法な複製品を得、その後、オリジナル品を密かに元に戻してしまう。そして、得られた違法な複製品に基づく多数の更なる複製品を作製して、それらを市場に流してしまうというわけである。市場に流された複製品は、違法に作製されたものではあるが、通常の情報再生装置あるいは情報記録再生装置を用いての情報再生が正しく行われるものとされる。
【０００６】
こうした違法行為は、一旦密かに持ち出されたオリジナル品が短時間のうちに密かに元に戻されることから、発覚し難く、たとえ発覚したとしても、既に違法な複製品が市場に流されていて、手遅れの事態となっていることが多い。それゆえ、オリジナル品の正当な制作者，取扱許諾者等にとっては、深刻な問題である。
【発明の開示】
【発明が解決しようとする課題】
【０００７】
上述のようなディジタル情報記録媒体の違法な複製品に関わる問題、さらには、各種の情報記録媒体に関する同様な問題を解決するには、例えば、オリジナル品として作製されたディジタル情報記録媒体、あるいは、そのオリジナル品と同等のものとして作製されたディジタル情報記録媒体等とされる、各種の情報記録媒体からの情報再生を、不特定の情報再生装置あるいは情報記録再生装置ではなく、予め設定された特定の情報再生装置あるいは情報記録再生装置を使用しなければ、正しく行うことができないようにすることができる、情報再生システムを構築することが考えられる。このような情報再生システムが構築されたもとでは、例えば、不特定の情報再生装置あるいは情報記録再生装置を用いて、オリジナル品として作製されたディジタル情報記録媒体、あるいは、そのオリジナル品と同等のものとして作製されたディジタル情報記録媒体等からの情報再生と再生された情報の他の情報記録媒体への記録とを行うことにより、違法な複製品を得ることができなくなるからである。
【０００８】
しかしながら、従来にあっては、このようなディジタル情報記録媒体の違法な複製品に関わる問題、さらには、各種の情報記録媒体に関する同様な問題の解決に供される情報再生システムを構築することができる情報再生装置あるいは情報記録再生装置は見当たらず、また、そのような情報再生装置あるいは情報記録再生装置について記載された文献も見当たらない。
【０００９】
斯かる点に鑑み、本願の特許請求の範囲に記載された発明は、前述のようなディジタル情報記録媒体の違法な複製品に関わる問題、さらには、各種の情報記録媒体に関する同様な問題の解決に供される情報再生システムを構築することができる、テープ状やディスク状等を成すものとされる情報記録媒体に記録された映像及び音声等の情報を再生する情報再生装置、及び、テープ状やディスク状等を成すものとされる情報記録媒体に各種の情報を記録するとともに、テープ状やディスク状等を成すものとされる情報記録媒体に記録された各種の情報を再生する情報記録再生装置を提供する。
【課題を解決するための手段】
【００１０】
本願の特許請求の範囲における請求項１から請求項５までのいずれかに記載された発明に係る情報再生装置は、情報記録媒体の記録領域からの情報再生を行うことができる情報再生手段と、情報記録媒体もしくはそれを内蔵したケースに固着されたメモリ手段からのデータ情報の読出しを行うことができるデータ情報読出し手段と、固有の個別キーデータ情報が格納される情報保存メモリ手段と、情報再生手段による情報記録媒体の記録領域からの主情報の再生に制限を課す情報再生制限状態を選択的に設定する動作制御手段とを備え、動作制御手段が、情報再生用とされた情報記録媒体が装着されるとともに情報再生制限状態が設定されたもとで、データ情報読出し手段から得られる、装着された情報記録媒体もしくはそれを内蔵したケースに固着されたメモリ手段から読み出された認識用キーデータ情報の内容と、情報保存メモリ手段に格納された個別キーデータ情報の内容とを比較し、両内容が一致するとき、情報再生手段が装着された情報記録媒体の記録領域からの主情報の再生を行い得る状態となすものとされて構成される。
【００１１】
特に、本願の特許請求の範囲における請求項２または請求項３に記載された発明に係る情報再生装置は、情報保存メモリ手段に固有の個別キーデータ情報に加えてマスターキーデータ情報も格納され、動作制御手段が、情報記録媒体が装着されるとともに情報再生制限状態が設定されたもとで、データ情報読出し手段から装着された情報記録媒体もしくはそれを内蔵したケースに固着されたメモリ手段からのデータ情報が得られないとき、または、データ情報読出し手段から得られる、装着された情報記録媒体もしくはそれを内蔵したケースに固着されたメモリ手段から読み出された固有識別データ情報の内容と、情報再生手段から得られる、装着された情報記録媒体の記録領域から再生された固有識別データ情報の内容とが一致しないときには、情報再生手段から得られる、装着された情報記録媒体の記録領域から再生されたマスターキーデータ情報の内容と、情報保存メモリ手段に格納されたマスターキーデータ情報の内容とが一致するとき、情報再生手段が装着された情報記録媒体の記録領域からの主情報の再生を行い得る状態となすものとされる。
【００１２】
また、本願の特許請求の範囲における請求項６から請求項１０までのいずれかに記載された発明に係る情報記録再生装置は、情報記録媒体の記録領域への情報記録及び情報記録媒体の記録領域からの情報再生を行うことができる記録再生手段と、情報記録媒体もしくはそれを内蔵したケースに固着されたメモリ手段へのデータ情報の書込み及びメモリ手段からのデータ情報の読出しを行うことができる書込み読出し手段と、固有の個別キーデータ情報が格納される情報保存メモリ手段と、書込み読出し手段に、情報記録媒体もしくはそれを内蔵したケースに固着されたメモリ手段からの固有識別データ情報の読出しを行わせるとともに、記録再生手段に、書込み読出し手段により読み出された固有識別データ情報の情報記録媒体の記録領域への記録を行わせる動作状態，書込み読出し手段に、情報保存メモリ手段に格納された個別キーデータ情報と同じ内容を有した認識用キーデータ情報の情報記録媒体もしくはそれを内蔵したケースに固着されたメモリ手段への書込みを行わせる動作状態、及び、記録再生手段による情報記録媒体の記録領域からの主情報の再生に制限を課す情報再生制限状態を設定する動作制御手段とを備えて成り、動作制御手段が、情報再生用とされた情報記録媒体が装着されるとともに情報再生制限状態が設定されたもとで、書込み読出し手段から得られる、装着された情報記録媒体もしくはそれを内蔵したケースに固着されたメモリ手段から読み出された認識用キーデータ情報の内容と、情報保存メモリ手段に格納された個別キーデータ情報の内容とを比較し、両内容が一致するとき、記録再生手段が装着された情報記録媒体の記録領域からの主情報の再生を行い得る状態となすものとされる。
【００１３】
特に、本願の特許請求の範囲における請求項７または請求項８に記載された発明に係る情報記録再生装置は、情報保存メモリ手段に固有の個別キーデータ情報に加えてマスターキーデータ情報も格納され、動作制御手段が、記録再生手段に情報保存メモリ手段に格納されたマスターキーデータ情報の情報記録媒体の記録領域への記録を行わせる動作状態をも設定するものとされ、情報記録媒体が装着されるとともに情報再生制限状態が設定されたもとで、書込み読出し手段から装着された情報記録媒体もしくはそれを内蔵したケースに固着されたメモリ手段からのデータ情報が得られないとき、または、書込み読出し手段から得られる、装着された情報記録媒体もしくはそれを内蔵したケースに固着されたメモリ手段から読み出された固有識別データ情報の内容と、記録再生手段から得られる、装着された情報記録媒体の記録領域から再生された固有識別データ情報の内容とが一致しないときには、記録再生手段から得られる、装着された情報記録媒体の記録領域から再生されたマスターキーデータ情報の内容と、情報保存メモリ手段に格納されたマスターキーデータ情報の内容とが一致するとき、記録再生手段が装着された情報記録媒体の記録領域からの主情報の再生を行い得る状態となすものとされる。
【００１４】
上述のように構成される本願の特許請求の範囲における請求項１から請求項５までのいずれかに記載された発明に係る情報再生装置にあっては、情報再生手段による情報記録媒体の記録領域からの主情報の再生に制限を課す情報再生制限状態を選択的に設定する動作制御手段が備えられ、その動作制御手段が、情報再生用とされた情報記録媒体が装着されるとともに情報再生制限状態が設定されたもとにおいて、データ情報読出し手段により、装着された情報記録媒体もしくはそれを内蔵したケースに固着されたメモリ手段から読み出された認識用キーデータ情報の内容と、情報保存メモリ手段に格納された個別キーデータ情報の内容が一致するとき、情報再生手段が装着された情報記録媒体の記録領域からの主情報の再生を行い得るようにする。それにより、本願の特許請求の範囲における請求項１から請求項５までのいずれかに記載された発明に係る情報再生装置に、それからの情報再生がなされるべく装着された情報記録媒体は、それもしくはそれを内蔵したケースに固着されたメモリ手段に格納された認識用キーデータ情報の内容と情報保存メモリ手段に格納された個別キーデータ情報の内容が一致するときのみ、情報再生手段によるその記録領域からの主情報の再生が行われる。
【００１５】
また、上述のように構成される本願の特許請求の範囲における請求項６から請求項１０までのいずれかに記載された発明に係る情報記録再生装置にあっては、書込み読出し手段に、情報記録媒体もしくはそれを内蔵したケースに固着されたメモリ手段からの固有識別データ情報の読出しを行わせるとともに、記録再生手段に、書込み読出し手段により読み出された固有識別データ情報の情報記録媒体の記録領域への記録を行わせる動作状態，書込み読出し手段に、情報保存メモリ手段に格納された個別キーデータ情報と同じ内容を有した認識用キーデータ情報の情報記録媒体もしくはそれを内蔵したケースに固着されたメモリ手段への書込みを行わせる動作状態、及び、記録再生手段による情報記録媒体の記録領域からの主情報の再生に制限を課す情報再生制限状態を設定する動作制御手段が備えられ、その動作制御手段が、情報再生用とされた情報記録媒体が装着されるとともに情報再生制限状態が設定されたもとにおいて、書込み読出し手段により、装着された情報記録媒体もしくはそれを内蔵したケースに固着されたメモリ手段から読み出された認識用キーデータ情報の内容と、情報保存メモリ手段に格納された個別キーデータ情報の内容が一致するとき、記録再生手段が装着された情報記録媒体の記録領域からの主情報の再生を行い得るようにする。それにより、本願の特許請求の範囲における請求項６から請求項１０までのいずれかに記載された発明に係る情報記録再生装置に、それからの情報再生がなされるべく装着された情報記録媒体は、それもしくはそれを内蔵したケースに固着されたメモリ手段に格納された認識用キーデータ情報の内容と情報保存メモリ手段に格納された個別キーデータ情報の内容が一致するときのみ、記録再生手段によるその記録領域からの主情報の再生が行われる。
【発明の効果】
【００１６】
これよりして、本願の特許請求の範囲における請求項１から請求項５までのいずれかに記載された発明に係る情報再生装置に装着される情報記録媒体は、その記録領域からの主情報の再生に制限が課せられるべきものであるとき、本願の特許請求の範囲における請求項１から請求項５までのいずれかに記載された発明に係る情報再生装置が、予め設定された特定の情報再生装置に該当するときのみ、その記録領域からの主情報の再生が正しく行われることになる。それゆえ、本願の特許請求の範囲における請求項１から請求項５までのいずれかに記載された発明に係る情報再生装置は、前述のようなディジタル情報記録媒体の違法な複製品に関わる問題、さらには、各種の情報記録媒体に関する同様な問題の解決に供される情報再生システムを構築することができるものとなる。
【００１７】
また、本願の特許請求の範囲における請求項６から請求項１０までのいずれかに記載された発明に係る情報記録再生装置に装着される情報記録媒体は、その記録領域からの主情報の再生に制限が課せられるべきものであるとき、本願の特許請求の範囲における請求項６から請求項１０までのいずれかに記載された発明に係る情報記録再生装置が、予め設定された特定の情報記録再生装置に該当するときのみ、それからの主情報の再生が正しく行われることになる。それゆえ、本願の特許請求の範囲における請求項６から請求項１０までのいずれかに記載された発明に係る情報記録再生装置は、前述のようなディジタル情報記録媒体の違法な複製品に関わる問題、さらには、各種の情報記録媒体に関する同様な問題の解決に供される情報再生システムを構築することができるものとなる。
【発明を実施するための最良の形態】
【００１８】
本願の特許請求の範囲における請求項１から請求項５までのいずれかに記載された発明及び請求項６から請求項１０までのいずれかに記載された発明を実施するための最良の形態は、以下に述べられる実施例１，実施例２及び実施例３をもって説明される。
【実施例１】
【００１９】
図１は、本願の特許請求の範囲における請求項１から請求項５までのいずれかに記載された発明に係る情報再生装置の一例を、それに装着された情報記録媒体及びその情報記録媒体に関連するラベルの例と共に示す。
【００２０】
図１に示される本願の特許請求の範囲における請求項１から請求項５までのいずれかに記載された発明に係る情報再生装置の一例は、情報記録媒体である磁気テープ１１の記録領域に記録された情報を再生する映像・音声情報再生装置１０を構成している。この映像・音声情報再生装置１０は、それに装着された磁気テープ１１の記録領域から、そこに記録された、例えば、映像・音声信号情報とされる主情報及びデータ情報等の他の情報を再生することができる情報再生手段１２、及び、図２に示されるように、磁気テープ１１を内蔵したケースであるテープカセット１６に貼付されるラベル１７の裏側にアンテナ１８を伴って配され、ラベル１７の裏側がテープカセット１６に貼付されることによりテープカセット１６に固着されるメモリ内蔵集積回路（以下、メモリＩＣという）１９に対応するものとして設けられ、そのメモリＩＣ１９に対して非接触の状態をもって、メモリＩＣ１９に内蔵されたメモリ２０から、それに格納されたデータ情報を読み出すことができるデータ情報読出し手段２１を備えている。
【００２１】
ラベル１７の裏側に配されるアンテナ１８及びメモリＩＣ１９は、熱硬化性樹脂による薄膜が被せられてラベル１７の裏側上に封止されており、アンテナ１８及びメモリＩＣ１９が配されたラベル１７の裏側は、感圧性接着剤によってテープカセット１６に接着される。アンテナ１８及びメモリＩＣ１９を封止する熱硬化性樹脂は、常温のもとで極めて柔らかいものとされ、一旦貼付されたラベル１７がテープカセット１６から剥がされる場合には、それによってアンテナ１８及びメモリＩＣ１９が破損されてしまうようにされる。一旦テープカセット１６に固着されたメモリＩＣ１９が、他のテープカセットに固着し直されて不正に使用されることを防止するためである。
【００２２】
メモリＩＣ１９に内蔵されたメモリ２０には、メモリＩＣ１９の製造時に、固有識別データ情報（以下、ＩＤデータ情報という）が、予め設定されるデータ情報として格納される。このＩＤデータ情報は、例えば、メモリＩＣ１９についての製造ロット番号と製造日，整理番号との組合せをあらわすものとされる。
【００２３】
情報再生手段１２は、その長手方向に沿って走行する磁気テープ１１に対して接触移動し、磁気テープ１１の記録領域に記録された主情報及び他の情報を読み取る磁気ヘッド部１３，磁気テープ１１及び磁気ヘッド部１３についての駆動を行うテープ・ヘッド駆動部１４、及び、テープ・ヘッド駆動部１４の動作制御を行うとともに、磁気ヘッド部１３により磁気テープ１１の記録領域から読み取られた主情報及び他の情報についての再生処理を行う情報再生処理部１５を含んで構成されている。テープ・ヘッド駆動部１４は、例えば、モータやギア等が用いられて構成される回動機構部を含んだものとされる。
【００２４】
また、データ情報読出し手段２１は、ラベル１７の裏側に配されてテープカセット１６に固着されたメモリＩＣ１９に内蔵されたメモリ２０に格納されているデータ情報を、メモリＩＣ１９に連結されたアンテナ１８を通じて取り込むアンテナ部２２、及び、アンテナ部２２により取り込まれたデータ情報についての受信再生処理を行う受信処理部２３を含んで構成されている。アンテナ部２２及び受信処理部２３は、アンテナ１８を通じてのメモリＩＣ１９に対する電力の誘導供給も行い、メモリＩＣ１９は、アンテナ１８を通じて誘導供給される電力を受けて作動する。そして、受信処理部２３において、メモリＩＣ１９に内蔵されたメモリ２０から読み出されたデータ情報が再生されて得られる。
【００２５】
さらに、図１に示される映像・音声情報再生装置１０は、少なくともそれに固有の個別キーデータ情報が格納される情報保存メモリ手段２５と、情報再生手段１２，データ情報読出し手段２１，情報保存メモリ手段２５等々に連結されて、それらに対する動作制御を行う動作制御手段を形成するシステムコントローラ３０とを備えている。情報保存メモリ手段２５は、例えば、半導体メモリ素子により構成されて、システムコントローラ３０による動作制御のもとに、データ情報の書込みによる格納及び読出しが行われる。
【００２６】
情報保存メモリ手段２５には、例えば、映像・音声情報再生装置１０についての固有の個別キーデータ情報のみならず、他の映像・音声情報再生装置についての固有の個別キーデータ情報も書き込まれ、互いに異なる複数の個別キーデータ情報が格納される。また、情報保存メモリ手段２５には、例えば、マスターキーデータ情報、さらには、下記に説明されるＡＰフラッグデータ情報，ＡＰモードフラッグデータ情報等も格納される。
【００２７】
システムコントローラ３０は、情報再生手段１２に対する動作制御の一環として、情報再生手段１２による磁気テープ１１の記録領域からの、例えば、映像・音声信号情報とされる主情報の再生に制限を課す情報再生制限状態を選択的に設定する。上述のＡＰフラッグデータ情報は、“有効”及び“無効”を選択的にあらわすデータ情報であって、情報再生制限状態が設定されているもとでの情報再生が行われるべきことを“有効”をもってあらわし、そうでないことを“無効”をもってあらわすものとされる。また、上述のＡＰモードフラッグデータ情報は、“ＯＮ”及び“ＯＦＦ”を選択的にあらわすデータ情報であって、情報再生制限状態が設定されるべきことを“ＯＮ”をもってあらわし、そうでないことを“ＯＦＦ”をもってあらわすものとされる。
【００２８】
システムコントローラ３０には、システムコントローラ３０にその動作に必要な制御データ等を入力するための入力操作部３１，各種のプログラムデータ等が格納されたリードオンリーメモリ（ＲＯＭ）３２，処理過程の各種データ等の書込み及び読出しが行われるランダムアクセスメモリ（ＲＡＭ）３３、及び、表示部３４が連結されている。表示部３４は、システムコントローラ３０へのデータ入力やシステムコントローラ３０において処理されるべきデータの選択等々のためのメニュー表示，システムコントローラ３０による動作制御状態の表示、さらには、情報再生手段１２，データ情報読出し手段２１，情報保存メモリ手段２５等々についての状態表示等々を行う。
【００２９】
このようなもとで、例えば、前述のように、映像・音声情報再生装置１０における情報保存メモリ手段２５に、映像・音声情報再生装置１０についての固有の個別キーデータ情報を含んだ複数の個別キーデータ情報，マスターキーデータ情報，ＡＰフラッグデータ情報及びＡＰモードフラッグデータ情報が格納されているもとで、テープカセット１６に内蔵された磁気テープ１１が、テープカセット１６に固着されたメモリＩＣ１９に内蔵されたメモリ２０に、例えば、ＩＤデータ情報，情報保存メモリ手段２５に格納される複数の個別キーデータ情報のうちの一つと同じ内容を有した認識用キーデータ情報、及び、ＡＰモードフラッグデータ情報が格納され、磁気テープ１１の記録領域に、例えば、映像・音声信号情報とされる主情報，メモリＩＣ１９に内蔵されたメモリ２０に格納されたＩＤデータ情報と同じＩＤデータ情報，マスターキーデータ情報、及び、ＡＰフラッグデータ情報が記録された、情報再生用とされた情報記録媒体として、映像・音声情報再生装置１０に装着され、図１に示される状態とされた場合について、以下に述べる。
【００３０】
このとき、映像・音声情報再生装置１０が情報保存メモリ手段２５に格納されたものとして有するデータ情報，メモリＩＣ１９が内蔵するメモリ２０に格納されたものとして有するデータ情報、及び、磁気テープ１１がその記録領域に記録されたものとして有するデータ情報について整理すると、図３に示されるようになる。即ち、映像・音声情報再生装置１０が、ＡＰモードフラッグデータ情報，複数の個別キーデータ情報，マスターキーデータ情報及びＡＰフラッグデータ情報を有し、メモリＩＣ１９が、ＩＤデータ情報，情報認識用キーデータ情報及びＡＰモードフラッグデータ情報を有し、磁気テープ１１が、ＩＤデータ情報、マスターキーデータ情報及びＡＰフラッグデータ情報を有している。
【００３１】
そして、図３において矢印により示されているように、例えば、メモリＩＣ１９が有する情報認識用キーデータ情報及びＡＰモードフラッグデータ情報は、映像・音声情報再生装置１０の情報保存メモリ手段２５に格納されたものが、メモリＩＣ１９が内蔵するメモリ２０に複写書き込みされて得られるものとされ、また、磁気テープ１１が有するＩＤデータ情報は、メモリＩＣ１９が内蔵するメモリ２０に格納されたものが、映像・音声情報再生装置１０を経由して、磁気テープ１１の記録領域に複写記録されて得られるものとされ、さらに、磁気テープ１１が有するマスターキーデータ情報及びＡＰフラッグデータ情報は、映像・音声情報再生装置１０の情報保存メモリ手段２５に格納されたものが、磁気テープ１１の記録領域に複写記録されて得られるものとされる。
【００３２】
こうした状況にあって、システムコントローラ３０は、映像・音声情報再生装置１０にテープカセット１６に内蔵された磁気テープ１１が装着されると、先ず、データ情報読出し手段２１における受信処理部２３からの出力信号に基づいて、テープカセット１６にメモリＩＣ１９が固着されていて、メモリＩＣ１９が内蔵するメモリ２０から読み出されたデータ情報が判別可能なものであることの確認を行う。次に、データ情報読出し手段２１によりメモリ２０から読み出されたデータ情報に含まれるＩＤデータ情報と、情報再生手段１２における情報再生処理部１５から得られる、情報再生手段１２により磁気テープ１１の記録領域から再生されたＩＤデータ情報とを比較し、両者の内容が一致することの確認を行う。
【００３３】
この段階で、テープカセット１６にメモリＩＣ１９が固着されていること，メモリ２０から読み出されたデータ情報が判別可能なものであること，メモリ２０から読み出されたＩＤデータ情報と磁気テープ１１の記録領域から再生されたＩＤデータ情報とが両者の内容が一致するものであること、のいずれかを確認することができない場合が生じる。このような場合には、システムコントローラ３０は、情報再生手段１２における情報再生処理部１５から得られる、情報再生手段１２により磁気テープ１１の記録領域から再生されたＡＰフラッグデータ情報が“無効”をあらわすとき、情報再生手段１２に、磁気テープ１１の記録領域に記録された、例えば、映像・音声信号情報とされる主情報の再生を行わせる。また、システムコントローラ３０は、情報再生手段１２により磁気テープ１１の記録領域から再生されたＡＰフラッグデータ情報が“有効”をあらわすとき、情報再生制限状態を設定し、情報再生手段１２における情報再生処理部１５から得られる、情報再生手段１２により磁気テープ１１の記録領域から再生されたマスターキーデータ情報と、情報保存メモリ手段２５に格納されたマスターキーデータ情報とを比較して、両者の内容が一致するときには、情報再生手段１２に、磁気テープ１１の記録領域に記録された主情報の再生を行わせ、、両者の内容が一致しないときには、情報再生手段１２に、磁気テープ１１の記録領域に記録された主情報の再生を行わせない。
【００３４】
それに対して、テープカセット１６にメモリＩＣ１９が固着されていること，メモリ２０から読み出されたデータ情報が判別可能なものであること，メモリ２０から読み出されたＩＤデータ情報と磁気テープ１１の記録領域から再生されたＩＤデータ情報とが両者の内容が一致するものであること、の全てを確認することができた場合には、システムコントローラ３０は、データ情報読出し手段２１によりメモリ２０から読み出されたデータ情報に含まれるＡＰモードフラッグデータ情報が“ＯＦＦ”をあらわすとき、情報再生手段１２に、磁気テープ１１の記録領域に記録された、例えば、映像・音声信号情報とされる主情報の再生を行わせる。また、システムコントローラ３０は、データ情報読出し手段２１によりメモリ２０から読み出されたデータ情報に含まれるＡＰモードフラッグデータ情報が“ＯＮ”をあらわすとき、情報再生制限状態を設定し、データ情報読出し手段２１によりメモリ２０から読み出されたデータ情報に含まれる認識用キーデータ情報と、情報保存メモリ手段２５に格納された複数の個別キーデータ情報とを比較して、認識用キーデータ情報の内容と複数の個別キーデータ情報のうちの一つの内容とが一致するときには、情報再生手段１２に、磁気テープ１１の記録領域に記録された主情報の再生を行わせ、認識用キーデータ情報の内容と複数の個別キーデータ情報のうちの一つの内容とが一致しないときには、情報再生手段１２に、磁気テープ１１の記録領域に記録された主情報の再生を行わせない。
【００３５】
その結果、映像・音声情報再生装置１０に装着された磁気テープ１１は、その記録領域からの主情報の再生に制限が課せられるべきものであるとき、テープカセット１６に固着されたメモリＩＣ１９が内蔵するメモリ２０に格納された認識用キーデータ情報の内容と、映像・音声情報再生装置１０における情報保存メモリ手段２５に格納された複数の個別キーデータ情報のうちの一つの内容とが一致する、もしくは、磁気テープ１１の記録領域に記録されたマスターキーデータ情報の内容と、映像・音声情報再生装置１０における情報保存メモリ手段２５に格納されたマスターキーデータ情報の内容とが一致することになる、映像・音声情報再生装置１０が予め設定された特定の情報再生装置に該当するときのみ、その記録領域からの主情報の再生が正しく行われるものとされる。
【００３６】
それゆえ、映像・音声情報再生装置１０は、前述のようなディジタル情報記録媒体の違法な複製品に関わる問題、さらには、各種の情報記録媒体に関する同様な問題の解決に供される情報再生システムを構築することができるものとなる。
【００３７】
図４は、システムコントローラ３０が、上述のようにして映像・音声情報再生装置１０にテープカセット１６に内蔵された磁気テープ１１が装着されたもとでの制御動作を行うにあたって実行する、制御プログラムの一例をあらわすフローチャートを示す。
【００３８】
図４に示されるフローチャートにあっては、スタート後、ステップ４１において、情報再生手段１２からの情報に基づいて、映像・音声情報再生装置１０にテープカセット１６に内蔵された磁気テープ１１が装着されているか否かを判断する。その結果、磁気テープ１１が装着されていないときには、ステップ４１での判断を繰り返し、磁気テープ１１が装着されているときには、ステップ４２において、データ情報読出し手段２１における受信処理部２３からの出力信号に基づき、テープカセット１６にメモリＩＣ１９が固着されているか否かを判断する。
【００３９】
そして、テープカセット１６にメモリＩＣ１９が固着されているときには、ステップ４３において、データ情報読出し手段２１における受信処理部２３からの出力信号に基づき、メモリＩＣ１９が内蔵するメモリ２０から読み出されたデータ情報が判別可能であるか否かを判断する。その結果、メモリ２０から読み出されたデータ情報が判別可能であるときには、ステップ４４において、データ情報読出し手段２１によりメモリ２０から読み出されたデータ情報に含まれるＩＤデータ情報の内容と、情報再生手段１２における情報再生処理部１５から得られる、情報再生手段１２により磁気テープ１１の記録領域から再生されたＩＤデータ情報の内容とが、一致するか否かを判断し、一致する場合には、ステップ４５に進む。
【００４０】
ステップ４５においては、データ情報読出し手段２１によりメモリ２０から読み出されたデータ情報に含まれるＡＰモードフラッグデータ情報が“ＯＮ”をあらわしているか否かを判断する。その結果、ＡＰモードフラッグデータ情報が“ＯＮ”をあらわしている場合には、ステップ４６において、情報再生制限状態が設定されているか否かを判断し、設定されていないときには、ステップ４７において情報再生制限状態を設定してステップ４８に進み、設定されているときには、ステップ４６から直接にステップ４８に進む。
【００４１】
ステップ４８においては、データ情報読出し手段２１によりメモリ２０から読み出されたデータ情報に含まれる認識用キーデータ情報の内容と、情報保存メモリ手段２５に格納された複数の個別キーデータ情報のうちの一つの内容とが、一致するか否かを判断する。その結果、一致するときには、ステップ４９において、情報再生手段１２に磁気テープ１１の記録領域に記録された主情報の再生を開始させて、プログラムを終了し、また、一致しないときには、情報再生手段１２に磁気テープ１１の記録領域に記録された主情報の再生を開始させることなく、プログラムを終了する。
【００４２】
一方、ステップ４５での判断の結果、ＡＰモードフラッグデータ情報が“ＯＮ”をあらわしていない、即ち、“ＯＦＦ”をあらわしている場合には、ステップ４５から直接にステップ４９に進み、ステップ４９において、情報再生手段１２に磁気テープ１１の記録領域に記録された主情報の再生を開始させて、プログラムを終了する。
【００４３】
また、ステップ４２での判断の結果、テープカセット１６にメモリＩＣ１９が固着されていないとき，ステップ４３での判断の結果、メモリ２０から読み出されたデータ情報が判別不可能であるとき、あるいは、ステップ４４での判断の結果、データ情報読出し手段２１によりメモリ２０から読み出されたデータ情報に含まれるＩＤデータ情報の内容と、情報再生手段１２における情報再生処理部１５から得られる、情報再生手段１２により磁気テープ１１の記録領域から再生されたＩＤデータ情報の内容とが、一致しない場合には、ステップ５０に進む。
【００４４】
ステップ５０においては、情報再生手段１２における情報再生処理部１５から得られる、情報再生手段１２により磁気テープ１１の記録領域から再生されたＡＰフラッグデータ情報が“有効”をあらわしているか否かを判断する。その結果、ＡＰフラッグデータ情報が“有効”をあらわしていない、即ち、ＡＰフラッグデータ情報が“無効”をあらわしている場合には、ステップ５０から直接にステップ４９に進み、ステップ４９において、情報再生手段１２に磁気テープ１１の記録領域に記録された主情報の再生を開始させて、プログラムを終了する。
【００４５】
それに対して、ステップ５０での判断の結果、ＡＰフラッグデータ情報が“有効”をあらわしている場合には、ステップ５１において、情報再生制限状態が設定されているか否かを判断し、設定されていないときには、ステップ５２において情報再生制限状態を設定してステップ５３に進み、設定されているときには、ステップ５１から直接にステップ５３に進む。
【００４６】
ステップ５３においては、情報再生手段１２により磁気テープ１１の記録領域から再生されたマスターキーデータ情報が情報保存メモリ手段２５に格納されたマスターキーデータ情報の内容とが、一致するか否かを判断する。その結果、一致するときには、ステップ４９に進み、情報再生手段１２に磁気テープ１１の記録領域に記録された主情報の再生を開始させて、プログラムを終了し、また、一致しないときには、情報再生手段１２に磁気テープ１１の記録領域に記録された主情報の再生を開始させることなく、プログラムを終了する。
【実施例２】
【００４７】
図５は、本願の特許請求の範囲における請求項６から請求項１０までのいずれかに記載された発明に係る情報記録再生装置の一例を、それに装着された情報記録媒体及びその情報記録媒体に関連するラベルの例と共に示す。
【００４８】
図５に示される本願の特許請求の範囲における請求項６から請求項１０までのいずれかに記載された発明に係る情報記録再生装置の一例は、情報記録媒体である磁気テープ６１の記録領域に情報を記録する動作と情報記録媒体である磁気テープ６１の記録領域に記録された情報を再生する動作とを行うことができる、映像・音声情報記録再生装置６０を構成している。この映像・音声情報記録再生装置６０は、記録再生手段６２と書込み読出し手段６６とを備えている。
【００４９】
記録再生手段６２は、映像・音声情報記録再生装置６０に装着された磁気テープ６１の記録領域に、例えば、映像・音声信号情報とされる主情報及びデータ情報等の他の情報を記録することができるとともに、それに装着された磁気テープ６１の記録領域から、そこに記録された、例えば、映像・音声信号情報とされる主情報及びデータ情報等の他の情報を再生することができるものとされる。また、書込み読出し手段６６は、図２に示されるテープカセット１６と同様に構成される、磁気テープ６１を内蔵したケースであるテープカセットに貼付される、図２に示されるものと同様のラベル１７の裏側にアンテナ１８を伴って配され、ラベル１７の裏側がテープカセットに貼付されることによりテープカセットに固着されるメモリＩＣ１９に対応するものとして設けられ、メモリＩＣ１９に対して非接触の状態をもって、メモリＩＣ１９に内蔵されたメモリ２０に、データ情報を書き込んで格納することができるとともに、メモリＩＣ１９に内蔵されたメモリ２０から、それに格納されたデータ情報を読み出すことができるものとされる。
【００５０】
ラベル１７の裏側に配されるアンテナ１８及びメモリＩＣ１９、さらには、メモリＩＣ１９に内蔵されたメモリ２０は、図１及び図２に示されるアンテナ１８，メモリＩＣ１９及びメモリ２０と同様のものとされる。それゆえ、これらについての重複詳細説明は省略される。
【００５１】
記録再生手段６２は、その長手方向に沿って走行する磁気テープ６１に対して接触移動し、磁気テープ６１の記録領域に主情報及び他の情報を記録する状態と、磁気テープ６１の記録領域に記録された主情報及び他の情報を読み取る状態とをとる磁気ヘッド部６３，磁気テープ６１及び磁気ヘッド部６３についての駆動を行うテープ・ヘッド駆動部６４、及び、テープ・ヘッド駆動部６４の動作制御を行うとともに、磁気ヘッド部６３により磁気テープ６１の記録領域に記録される主情報及び他の情報についての記録用処理と、磁気テープ６１の記録領域から読み取られた主情報及び他の情報についての再生処理とを行う情報記録再生処理部６５を含んで構成されている。テープ・ヘッド駆動部６４は、例えば、モータやギア等が用いられて構成される回動機構部を含んだものとされる。
【００５２】
また、書込み読出し手段６６は、ラベル１７の裏側に配されてテープカセットに固着されたメモリＩＣ１９に内蔵されたメモリ２０に、データ情報をメモリＩＣに連結されたアンテナ１８を通じて送り込む状態と、メモリＩＣ１９に内蔵されたメモリ２０に格納されているデータ情報を、アンテナ１８を通じて取り込む状態とをとるアンテナ部６７、及び、アンテナ部６７によりアンテナ１８を通じてメモリＩＣ１９に送り込まれるデータ情報についての送信供給処理と、アンテナ部６７により取り込まれたデータ情報についての受信再生処理と、を行う送受処理部６８を含んで構成されている。アンテナ部６７及び送受処理部６８は、アンテナ１８を通じてのメモリＩＣ１９に対する電力の誘導供給も行い、メモリＩＣ１９は、アンテナ１８を通じて誘導供給される電力を受けて作動する。そして、送受処理部６８において、メモリＩＣ１９に内蔵されたメモリ２０から読み出されたデータ情報が再生されて得られる。
【００５３】
さらに、図５に示される映像・音声情報記録再生装置６０は、少なくともそれに固有の個別キーデータ情報が格納される情報保存メモリ手段６９と、記録再生手段６２，書込み読出し手段６６，情報保存メモリ手段６９等々に連結されて、それらに対する動作制御を行う動作制御手段を形成するシステムコントローラ７０とを備えている。情報保存メモリ手段６９は、例えば、半導体メモリ素子により構成されて、システムコントローラ７０による動作制御のもとに、データ情報の書込みによる格納及び読出しが行われる。
【００５４】
情報保存メモリ手段６９には、例えば、映像・音声情報記録再生装置６０についての固有の個別キーデータ情報のみならず、他の映像・音声情報記録再生装置についての固有の個別キーデータ情報も書き込まれ、互いに異なる複数の個別キーデータ情報が格納される。また、情報保存メモリ手段６９には、例えば、図１に示される映像・音声情報再生装置１０における情報保存メモリ手段２５に格納されるものと同様の、マスターキーデータ情報，“有効”もしくは“無効”をあらわすＡＰフラッグデータ情報，“ＯＮ”もしくは“ＯＦＦ”をあらわすＡＰモードフラッグデータ情報等も格納される。
【００５５】
システムコントローラ７０には、システムコントローラ７０にその動作に必要な制御データ等を入力するための入力操作部７１，各種のプログラムデータ等が格納されたＲＯＭ７２，処理過程の各種データ等の書込み及び読出しが行われるＲＡＭ７３、及び、表示部７４が連結されている。表示部７４は、システムコントローラ７０へのデータ入力やシステムコントローラ７０において処理されるべきデータの選択等々のためのデータ入力画面画像やメニュー画像の表示，システムコントローラ７０による動作制御状態の表示、さらには、記録再生手段６２，書込み読出し手段６６，情報保存メモリ手段６９等々についての状態表示等々を行う。
【００５６】
例えば、情報保存メモリ手段６９への複数の個別キーデータ情報の格納は、表示部７４に図６に示されるようなデータ入力画面画像が表示されるもとで行われる。図６に示されるデータ入力画面画像にあっては、ＫＥＹ１〜ＫＥＹ８までの８個の個別キーデータ情報を、各々のキーコードを入力することにより、情報保存メモリ手段６９に格納できることがあらわされており、ＫＥＹ２及びＫＥＹ６については未格納とされている。ＫＥＹ１〜ＫＥＹ８のうちのアスタリスク（＊）が付されているＫＥＹ１が、映像・音声情報記録再生装置６０についての固有の個別キーデータ情報をあらわしており、キーネームを「ＢＳＮＣ」とするものとされている。
【００５７】
また、一旦情報保存メモリ手段６９に格納された個別キーデータ情報の変更は、表示部７４に図７に示されるようなデータ入力画面画像が表示されるもとで行われる。図７に示されるデータ入力画面画像にあっては、複数の個別キーデータ情報のうちのＫＥＹ１が変更対象とされていることがあらされており、複数のアスタリスクが配列された箇所に新たなキーコード入力することにより変更できることになる。
【００５８】
さらに、例えば、ＡＰフラッグデータ情報を“有効”もしくは“無効”をあらわすものとなし、ＡＰモードフラッグデータ情報を“ＯＮ”もしくは“ＯＦＦ”をあらわすものとなす設定は、表示部７４に図８に示されるようなデータ入力画面画像が表示されるもとで行われる。図８に示されるデータ入力画面画像にあっては、テープカセットに固着されたメモリＩＣ１９に内蔵されたメモリ２０に認識用キーデータ情報として格納されることになる個別キーデータ情報をあらわすキーコードを、複数のアスタリスクが配列された箇所に入力して設定することになる。
【００５９】
前述のように、情報保存メモリ手段６９に、映像・音声情報記録再生装置６０についての固有の個別キーデータ情報を含んだ複数の個別キーデータ情報，マスターキーデータ情報，ＡＰフラッグデータ情報及びＡＰモードフラッグデータ情報が格納されている映像・音声情報記録再生装置６０に、テープカセットに内蔵された磁気テープ６１が装着され、図５に示される状態とされたもとで、システムコントローラ７０は、入力操作部７１による入力操作に応じて、以下のような動作を行う。
【００６０】
先ず、情報保存メモリ手段６９に格納された複数の個別キーデータ情報のうちの映像・音声情報記録再生装置６０についての固有の個別キーデータ情報を読み出して、読み出された固有の個別キーデータ情報に基づく認識用キーデータ情報を形成するとともに、情報保存メモリ手段６９に格納されたＡＰモードフラッグデータ情報を読み出し、書込み読出し手段６６に、認識用キーデータ情報及びＡＰモードフラッグデータ情報を、磁気テープ６１を内蔵したテープカセットにおけるメモリＩＣ１９が内蔵するメモリ２０に、アンテナ１８を通じて格納する動作を行わせる。認識用キーデータ情報は、固有の個別キーデータ情報の内容と同じ内容を有するものとされる。
【００６１】
また、書込み読出し手段６６に、磁気テープ６１を内蔵したテープカセットに固着されたメモリＩＣ１９が内蔵するメモリ２０に格納されたＩＤデータ情報を、アンテナ１８を通じて読み出す動作を行わせて、そのＩＤデータ情報を取り込み、記録再生手段６２に、取り込まれたＩＤデータ情報を磁気テープ６１の記録領域に記録する動作を行わせる。それにより、磁気テープ６１の記録領域に、メモリ２０に格納されたＩＤデータ情報と同じＩＤデータ情報が記録される。
【００６２】
さらに、情報保存メモリ手段６９に格納されたマスターキーデータ情報及びＡＰフラッグデータ情報を読み出して、記録再生手段６２に、読み出されたマスターキーデータ情報及びＡＰフラッグデータ情報を磁気テープ６１の記録領域に記録する動作を行わせる。それにより、磁気テープ６１の記録領域に、情報保存メモリ手段６９に格納されたマスターキーデータ情報と同じマスターキーデータ情報とＡＰフラッグデータ情報とが記録される。
【００６３】
その結果、磁気テープ６１を内蔵したテープカセットに固着されたメモリＩＣ１９が内蔵するメモリ２０に、ＩＤデータ情報，情報保存メモリ手段６９に格納された複数の個別キーデータ情報のうちの一つと同じ内容を有した認識用キーデータ情報、及び、ＡＰモードフラッグデータ情報が格納され、磁気テープ６１の記録領域に、例えば、映像・音声信号情報とされる主情報，メモリＩＣ１９に内蔵されたメモリ２０に格納されたＩＤデータ情報と同じＩＤデータ情報，マスターキーデータ情報、及び、ＡＰフラッグデータ情報が記録された状態が得られることになる。
【００６４】
また、システムコントローラ７０は、情報保存メモリ手段６９に、映像・音声情報記録再生装置６０についての固有の個別キーデータ情報を含んだ複数の個別キーデータ情報，マスターキーデータ情報，ＡＰフラッグデータ情報及びＡＰモードフラッグデータ情報が格納されたもとで、テープカセットに内蔵された磁気テープ６１が、テープカセットに固着されたメモリＩＣ１９が内蔵するメモリ２０に、ＩＤデータ情報，情報保存メモリ手段２５に格納される複数の個別キーデータ情報のうちの一つと同じ内容を有した認識用キーデータ情報、及び、ＡＰモードフラッグデータ情報が格納され、磁気テープ６１の記録領域に、例えば、映像・音声信号情報とされる主情報，メモリＩＣ１９に内蔵されたメモリ２０に格納されたＩＤデータ情報と同じＩＤデータ情報，マスターキーデータ情報、及び、ＡＰフラッグデータ情報が記録された、情報再生用とされた情報記録媒体として、映像・音声情報記録再生装置６０に装着された状態がとられると、磁気テープ６１の記録領域に記録された主情報を再生するための制御動作を行う。
【００６５】
このような、情報再生用とされた情報記録媒体として映像・音声情報記録再生装置６０に装着された磁気テープ６１の記録領域に記録された主情報を再生するための制御動作にあたり、システムコントローラ３０は、先ず、書込み読出し手段６６における送受処理部６８からの出力信号に基づいて、磁気テープ６１を内蔵するテープカセットにメモリＩＣ１９が固着されていて、メモリＩＣ１９が内蔵するメモリ２０から読み出されたデータ情報が判別可能なものであることの確認を行う。次に、書込み読出し手段６６によりメモリ２０から読み出されたデータ情報に含まれるＩＤデータ情報と、記録再生手段６２における情報記録再生処理部６５から得られる、記録再生手段６２により磁気テープ６１の記録領域から再生されたＩＤデータ情報とを比較し、両者の内容が一致することの確認を行う。
【００６６】
この段階で、テープカセットにメモリＩＣ１９が固着されていること，メモリ２０から読み出されたデータ情報が判別可能なものであること，メモリ２０から読み出されたＩＤデータ情報と磁気テープ６１の記録領域から再生されたＩＤデータ情報とが両者の内容が一致するものであること、のいずれかを確認することができない場合が生じる。このような場合には、システムコントローラ７０は、記録再生手段６２における情報記録再生処理部６５から得られる、記録再生手段６２により磁気テープ６１の記録領域から再生されたＡＰフラッグデータ情報が“無効”をあらわすとき、記録再生手段６２に、磁気テープ６１の記録領域に記録された、例えば、映像・音声信号情報とされる主情報の再生を行わせる。また、システムコントローラ７０は、記録再生手段６２により磁気テープ６１の記録領域から再生されたＡＰフラッグデータ情報が“有効”をあらわすとき、情報再生制限状態を設定し、記録再生手段６２における情報記録再生処理部６５から得られる、記録再生手段６２により磁気テープ６１の記録領域から再生されたマスターキーデータ情報と、情報保存メモリ手段６９に格納されたマスターキーデータ情報とを比較して、両者の内容が一致するときには、記録再生手段６２に、磁気テープ６１の記録領域に記録された主情報の再生を行わせ、両者の内容が一致しないときには、記録再生手段６２に、磁気テープ６１の記録領域に記録された主情報の再生を行わせない。
【００６７】
それに対して、テープカセットにメモリＩＣ１９が固着されていること，メモリ２０から読み出されたデータ情報が判別可能なものであること，メモリ２０から読み出されたＩＤデータ情報と磁気テープ６１の記録領域から再生されたＩＤデータ情報とが両者の内容が一致するものであること、の全てを確認することができた場合には、システムコントローラ７０は、書込み読出し手段６６によりメモリ２０から読み出されたデータ情報に含まれるＡＰモードフラッグデータ情報が“ＯＦＦ”をあらわすとき、記録再生手段６２に、磁気テープ６１の記録領域に記録された、例えば、映像・音声信号情報とされる主情報の再生を行わせる。また、システムコントローラ７０は、書込み読出し手段６６によりメモリ２０から読み出されたデータ情報に含まれるＡＰモードフラッグデータ情報が“ＯＮ”をあらわすとき、情報再生制限状態を設定し、書込み読出し手段６６によりメモリ２０から読み出されたデータ情報に含まれる認識用キーデータ情報と、情報保存メモリ手段６９に格納された複数の個別キーデータ情報とを比較して、認識用キーデータ情報の内容と複数の個別キーデータ情報のうちの一つの内容とが一致するときには、記録再生手段６２に、磁気テープ６１の記録領域に記録された主情報の再生を行わせ、認識用キーデータ情報の内容と複数の個別キーデータ情報のうちの一つの内容とが一致しないときには、記録再生手段６２に、磁気テープ６１の記録領域に記録された主情報の再生を行わせない。
【００６８】
その結果、映像・音声情報記録再生装置６０に装着された磁気テープ６１は、その記録領域からの主情報の再生に制限が課せられるべきものであるとき、磁気テープ６１を内蔵するテープカセットに固着されたメモリＩＣ１９が内蔵するメモリ２０に格納された認識用キーデータ情報の内容と、映像・音声情報記録再生装置６０における情報保存メモリ手段６９に格納された複数の個別キーデータ情報のうちの一つの内容とが一致する、もしくは、磁気テープ６１の記録領域に記録されたマスターキーデータ情報の内容と、映像・音声情報記録再生装置６０における情報保存メモリ手段６９に格納されたマスターキーデータ情報の内容とが一致することになる、映像・音声情報記録再生装置６０が予め設定された特定の記録再生装置に該当するときのみ、その記録領域からの主情報の再生が正しく行われるものとされる。
【００６９】
それゆえ、映像・音声情報記録再生装置６０は、前述のようなディジタル情報記録媒体の違法な複製品に関わる問題、さらには、各種の情報記録媒体に関する同様な問題の解決に供される情報再生システムを構築することができるものとなる。
【００７０】
システムコントローラ７０が、上述のようにして映像・音声情報記録再生装置６０にテープカセットに内蔵された磁気テープ６１が装着されたもとでの制御動作を行うにあたって実行する、制御プログラムは、例えば、図４に示される、図１に示される映像・音声情報再生装置１０におけるシステムコントローラ３０が、映像・音声情報再生装置１０にテープカセット１６に内蔵された磁気テープ１１が装着されたもとでの制御動作を行うにあたって実行する制御プログラムと、略同様のものとされる。
【実施例３】
【００７１】
上述の実施例１及び実施例２の夫々においては、テープカセット１６に内蔵された磁気テープ１１あるいはテープカセットに内蔵された磁気テープ６１が、情報記録媒体として用いられ、アンテナ１８及びメモリ２０を内蔵するメモリＩＣ１９が、磁気テープ１１を内蔵するテープカセット１６あるいは磁気テープ６１を内蔵するテープカセットに固着されるものとされているが、本願の特許請求の範囲における請求項１から請求項５までのいずれかに記載された発明に係る情報再生装置及び本願の特許請求の範囲における請求項６から請求項１０までのいずれかに記載された発明に係る情報記録再生装置の夫々は、磁気テープ１１あるいは磁気テープ６１に代えて、例えば、ディスク状を成す情報記録媒体等の他の情報記録媒体を用いるものとされ、斯かる他の情報記録媒体にアンテナ１８及びメモリ２０を内蔵するメモリＩＣ１９が直接的に固着されるようになされてもよい。
【００７２】
また、実施例１におけるデータ情報読出し手段２１あるいは実施例２における書込み読出し手段６６は、メモリＩＣ１９が内蔵するメモリ２０に格納されたデータ情報の読出しを、メモリＩＣ１９に対して非接触の状態をもって行うものとされているが、データ情報読出し手段２１及び書込み読出し手段６６の夫々は、メモリＩＣ１９に接触して、あるいは、メモリＩＣ１９に接続されて、メモリＩＣ１９が内蔵するメモリ２０に格納されたデータ情報の読出しを行うものとされてもよい。
【産業上の利用可能性】
【００７３】
以上のような本願の特許請求の範囲における請求項１から請求項５までのいずれかに記載された発明に係る情報再生装置及び本願の特許請求の範囲における請求項６から請求項１０までのいずれかに記載された発明に情報記録再生装置は、前述のようなディジタル情報記録媒体の違法な複製品に関わる問題、さらには、各種の情報記録媒体に関する同様な問題の解決に供される情報再生システムを構築することができるものとして、様々な分野において活用することができるものである。
【図面の簡単な説明】
【００７４】
【図１】本願の特許請求の範囲における請求項１から請求項５までのいずれかに記載された発明に係る情報再生装置の一例を、それに装着された情報記録媒体及びその情報記録媒体に関連するラベルの例と共に示すブロック構成図である。
【図２】図１に示される情報再生装置の例に用いられる磁気テープを内蔵したテープカセットの一例を示す分解斜視図である。
【図３】図１に示される情報再生装置の例に関連するデータ情報の格納状況の説明に供される概念図である。
【図４】図１に示される情報再生装置の例における動作制御手段を形成するシステムコントローラが実行する制御プログラムをあらわすフローチャートである。
【図５】本願の特許請求の範囲における請求項６から請求項１０までのいずれかに記載された発明に係る情報記録再生装置の一例を、それに装着された情報記録媒体及びその情報記録媒体に関連するラベルの例と共に示すブロック構成図である。
【図６】図５に示される情報記録再生装置の動作説明に供される概念図である。
【図７】図５に示される情報記録再生装置の動作説明に供される概念図である。
【図８】図５に示される情報記録再生装置の動作説明に供される概念図である。
【符号の説明】
【００７５】
１０・・・映像・音声情報再生装置，  １１，６１・・・磁気テープ，  １２・・・情報再生手段，  １３，６３・・・磁気ヘッド部，  １４，６４・・・テープ・ヘッド駆動部，  １５・・・情報再生処理部，  １６・・・テープカセット，  １７・・・ラベル，  １８・・・アンテナ，  １９・・・メモリＩＣ，  ２０・・・メモリ，  ２１・・・データ情報読出し手段，  ２２，６７・・・アンテナ部，  ２３・・・受信処理部，  ２５，６９・・・情報保存メモリ手段，  ３０，７０・・・システムコントローラ，  ３１，７１・・・入力操作部，  ３２，７２・・・ＲＯＭ，  ３３，７３・・・ＲＡＭ，  ３４，７４・・・表示部，  ６０・・・映像・音声情報記録再生装置，  ６２・・・記録再生手段、  ６５・・・情報記録再生処理部，  ６６・・・書込み読み出し手段，  ６８・・・送受処理部
【図１】
2006164353.tif 000003
【図２】
2006164353.tif 000004
【図３】
2006164353.tif 000005
【図４】
2006164353.tif 000006
【図５】
2006164353.tif 000007
【図６】
2006164353.tif 000008
【図７】
2006164353.tif 000009
【図８】
2006164353.tif 000010